(57)【特許請求の範囲】
【請求項１】
靴底の踏付面に、複数の板状の突片を分散配設してある野球用スパイクシューズであって、
前記踏付面の踵側に配設される突片のうち、踵骨突起に対応する部位よりも前方側において踵骨の左右中央に相当する位置と第２趾基節骨の左右中央に相当する位置とを結ぶ基本線の内側と外側に配設された突片を、前記基本線にほぼ沿う状態で、かつ、後端縁側ほど踏付面の外側縁側に偏位する前後姿勢に構成するとともに、踵骨突起に対応する部位よりも後方側において基本線の内側と外側に配設された突片を、前記基本線に対して交差する姿勢に構成してある野球用スパイクシューズ。
【請求項２】
前記複数の突片が、前記踏付面のうち、足趾の付け根に沿う屈曲ラインよりも前方側に固定される爪先座板と前記屈曲ラインよりも後方側に固定される中間座板及び踵側に固定される踵座板とに分散して一体的に折り曲げ形成されているとともに、前記中間座板には、基本線の外側における足の小趾球の直後方と、基本線の内側における足の母趾球の直後方とにそれぞれ突片が配置されている請求項１記載の野球用スパイクシューズ。
【請求項３】
前記中間座板の突片の高さが、前記踵座板の突片の高さよりも低く構成されている請求項２記載の野球用スパイクシューズ。
【請求項４】
前記爪先座板には、足趾の付け根に沿う屈曲ラインよりも前方側において基節骨に対応する位置に配設される少なくとも３つの爪先側突片が形成されている請求項２又は３記載の野球用スパイクシューズ。
【請求項５】
前記爪先座板には、前記第１趾基節骨に対応する位置に配置される突片と、第３趾基節骨に対応する位置に配置される中間突片と、前記第４趾基節骨に対応する位置に配置される突片と、第１趾の先端と第２趾の先端とに亘る部位に対応する位置に配置された突片とが形成され、前記先端側の突片と前記中間突片は、前記基本線に対してほぼ直交する又はそれに近い姿勢に構成されているとともに、前記第１趾基節骨及び第４趾基節骨に対応する両突片は、それらの一方の偏平面が共に基本線側の後方に向く傾斜姿勢に構成されている請求項４記載の野球用スパイクシューズ。
【請求項６】
前記爪先座板の突片のうち、第１趾の先端と第２趾の先端とに亘る部位に対応する位置に配置された突片の高さが、他の突片の高さよりも低く構成されている請求項５記載の野球用スパイクシューズ。
【請求項７】
前記踵座板の突片のうち、踵骨突起に対応する部位よりも前方側において基本線の内側に配設された突片の先端中心と前記爪先座板における第１趾基節骨に対応する位置に配置してある爪先側突片の先端中心とを繋ぐ仮想内側直線と、前記踵座板の突片のうち、踵骨突起に対応する部位よりも前方側において基本線の外側に配設された突片の先端中心と前記爪先座板における第３趾基節骨に対応する位置に配置してある突片の先端中心とを繋ぐ仮想外側直線とが、ほぼ平行に構成されているとともに、前記中間座板における基本線よりも内側に位置する突片が、前記仮想内側直線上に配置されている請求項５又は６記載の野球用スパイクシューズ。
【発明の詳細な説明】
【０００１】
【発明の属する技術分野】
本発明は、靴底の踏付面に、複数の板状の突片を分散配設してある野球用スパイクシューズに関する。
【０００２】
【従来の技術】
従来、この種の野球用スパイクシューズでは、靴底の踏付面の踵側に配設される突片のうち、踵骨突起に対応する部位よりも前方側で、かつ、踵骨の左右中央に相当する位置と第２趾基節骨（第２指基節骨）の左右中央に相当する位置とを結ぶ基本線の内側と外側とにそれぞれ配設された前部突片と、踵骨突起に対応する部位よりも後方側で、かつ、前記基本線の内側と外側とにそれぞれ配設された後部突片とを、前記基本線とＸ状に交差する２つの対角方向でほぼ相対向する姿勢に構成したものがあり、これら４つの突片の姿勢により、地面に沿うあらゆる方向にも防滑力を作用させることができ、それにより踵側におけるスリップ抑制効果を高めてある（例えば、実用新案登録第３０１５０２３号公報参照）。
【０００３】
【発明が解決しようとする課題】
しかしながら、前記従来の野球用スパイクシューズでは、踵側の前部突片と後部突片とが、基本線とＸ状に交差する２つの対角方向でほぼ相対向する姿勢に構成してある関係上、踵からした場合のランニング時、踵から爪先側への体重移動に伴って踵側が地面から浮き上がるときに、これら突片が地面に引っ掛かり易く、このような引っ掛かりが発生すると、足が外側・内側に傾き易い傾向があった。
【０００４】
本発明は、上述の実情に鑑みてなされたものであって、その主たる課題は、踵側における良好なスリップ抑制効果を確保でき、しかも、ランニング時に足が外側・内側に傾き難い基本線をガイドする野球用スパイクシューズを提供する点にある。
【０００５】
【課題を解決するための手段】
本発明では、靴底の踏付面に、複数の板状の突片を分散配設してある野球用スパイクシューズにおいて、
前記踏付面の踵側に配設される突片のうち、踵骨突起に対応する部位よりも前方側に配設された突片を、踵骨の左右中央に相当する位置と第２趾基節骨の左右中央に相当する位置とを結ぶ基本線にほぼ沿う又はそれに近い前後姿勢に構成し、かつ、踵骨突起に対応する部位よりも後方側に配設された突片を、前記基本線に対して交差する姿勢に構成してある。
【０００６】
上記構成によれば、ランニング時に踵から着地したとき、踏付面の踵側に配設される突片のうち、踵骨突起に対応する部位よりも後方側に配設された突片は、基本線に対して交差する姿勢に構成してあるから、踵が着地したときの前方へのスリップは、踵側の後部突片の地面に対する引っ掛かりで抑制することができ、しかも、踏付面の踵側に配設される突片のうち、踵骨突起に対応する部位よりも前方側に配設された突片は、基本線にほぼ沿う又はそれに近い前後姿勢に構成されているから、これら踵側の前部突片と後部突片との協働により、地面に沿う前後方向以外の方向への防滑力も作用することとなる。
しかも、踵側の前部突片が、基本線にほぼ沿う又はそれに近い前後姿勢に構成されているから、ランニング時の体重移動で踵側が地面から浮き上がるとき、前部突片が地面に引っ掛かることなく抜け易く、しかも、踵から爪先側への体重移動が基本線にほぼ沿って案内され易い。
【０００７】
それ故に、踵側における良好なスリップ抑制効果を確保でき、しかも、ランニング時に足が外側・内側に傾き難い。
【０００８】
本発明では、前記踵側の前部突片の前端縁が、突出先端ほど後方側に位置する後傾姿勢に構成されているとともに、前記前部突片の前端縁の後傾角度が２５度〜３５度の角度範囲内で設定されている。
【０００９】
上記構成によれば、前部突片の前端縁が、２５度〜３５度の角度範囲内で大きく後傾するから、踵側の前部突片の高さが同じ条件下において、例えば、踵側の前部突片の前端縁が殆ど後傾していないものに比して、前部突片が地面からの抜け出すまでの踵側の地面からの浮き上がり代をかなり小さくできる。
従って、ランニング時に比して地面からの踵側の浮き上がり代が小さい走塁及び守備時のストップ動作からターン動作への切り換え動作時においても、前部突片が地面から抜け易く、ターン動作に伴う前部突片の地面に対する引っ掛かりを抑制できるから、走塁及び守備時のストップ動作からターン動作への切り換え動作を俊敏かつスムースに行なうことができる。
【００１０】
本発明では、前記踵側の前部突片が、前記基本線の内側と外側とにそれぞれ１つずつ配設されている。
【００１１】
上記構成によれば、基本線の内側と外側とに、踵側の前部突片がそれぞれ１つずつ配設されているから、基本線の内側と外側とにおける前部突片の配置バランスがよく、着地した状態で踵側を安定良く支持することができ、更に、ランニング時に足が外側・内側に傾き難くすることができる。
【００１２】
本発明では、前記踏付面のうち、足趾の付け根に沿う屈曲ラインよりも前方側に配設される少なくとも３つの爪先側突片が、基節骨又はその近傍に配置されている。
【００１３】
上記構成によれば、例えば、２つの爪先側突片が足趾末節骨（足指末節骨）又はその近傍に配置されている場合に比して、踵から爪先側への体重移動に伴って、靴底が屈曲ラインに沿って屈曲したとき、その屈曲基端側に位置する基節骨又はその近傍に配置された少なくとも３つの爪先側突片を、その屈曲ラインよりも爪先側での地面の蹴り出し動作が開始される前に地面に食い込ませることができるとともに、これら爪先側突片に体重をかけ易い。
【００１４】
従って、ランニング時のみならず、爪先側の着地のみによる前傾姿勢でのダッシュ時に、これら爪先側突片での地面の蹴り出しを効率よく、スムースに行なうことができ、強いキック力を発揮させることができる。
【００１５】
本発明では、前記爪先側突片のうち、左右方向の中間に位置する突片が、前記基本線に対してほぼ直交する又はそれに近い姿勢に構成されている。
【００１６】
上記構成によれば、爪先側突片のうち、左右方向の中間に位置する突片を基本線に対してほぼ直交する又はそれに近い姿勢に構成してあるから、ランニング及びダッシュ時の前記中間突片による地面の蹴り出し効率が更によくなり、より強いキック力を発揮させることができる。
【００１７】
本発明では、前記爪先側突片のうち、前記基本線よりも内側に位置する突片が、第１趾基節骨に対応する位置する配置され、前記基本線よりも外側に位置する突片が、第４趾基節骨に対応する位置に配置されているとともに、更に、前記中間突片が、第３趾基節骨に対応する位置に配置されている。
【００１８】
上記構成によれば、屈曲ラインよりも爪先側での地面の蹴り出し動作時に、体重が最も体重が載り易い部位は、第５趾基節骨（第５指基節骨）を除く各趾（指）の基節骨に対応する位置であり、このうち第１趾基節骨（第１指基節骨）に対応する位置と第３趾基節骨（第３指基節骨）に対応する位置と第４趾基節骨（第４指基節骨）に対応する位置に爪先側突片を配設することにより、ランニング及びダッシュ時の爪先側突片による地面の蹴り出し効率が向上し、強いキック力を効率よく発揮させることができる。
【００１９】
本発明では、前記屈曲ラインの後方側に配設される左右一対の突片のうち、前記基本線よりも外側に位置する突片が、前記基本線よりも内側に位置する突片よりも後方に配置されている。
【００２０】
上記構成によれば、基本線よりも内側に位置する突片を足の母趾球（母指球）の直後方に配置した状態では、基本線よりも外側に位置する突片を足の小趾球（小指球）の直後方に確実に位置させ易いから、このように構成することにより、両突片が地面から受ける反力が、母趾球のみならず小趾球にも直接作用し難く、母趾球及び小趾球に対する突き上げ感を弱くでき、その結果、野球用スパイクシューズの履き心地を向上することができる。
そして、本発明の請求項１による野球用スパイクシューズの特徴構成は、靴底の踏付面に、複数の板状の突片を分散配設してある野球用スパイクシューズであって、
前記踏付面の踵側に配設される突片のうち、踵骨突起に対応する部位よりも前方側において踵骨の左右中央に相当する位置と第２趾基節骨の左右中央に相当する位置とを結ぶ基本線の内側と外側に配設された突片を、前記基本線にほぼ沿う状態で、かつ、後端縁側ほど踏付面の外側縁側に偏位する前後姿勢に構成するとともに、踵骨突起に対応する部位よりも後方側において基本線の内側と外側に配設された突片を、前記基本線に対して交差する姿勢に構成してある点にある。
本発明の請求項２による野球用スパイクシューズの特徴構成は、前記複数の突片が、前記踏付面のうち、足趾の付け根に沿う屈曲ラインよりも前方側に固定される爪先座板と前記屈曲ラインよりも後方側に固定される中間座板及び踵側に固定される踵座板とに分散して一体的に折り曲げ形成されているとともに、前記中間座板には、基本線の外側における足の小趾球の直後方と、基本線の内側における足の母趾球の直後方とにそれぞれ突片が配置されている点にある。
本発明の請求項３による野球用スパイクシューズの特徴構成は、前記中間座板の突片の高さが、前記踵座板の突片の高さよりも低く構成されている点にある。
本発明の請求項４による野球用スパイクシューズの特徴構成は、前記爪先座板には、足趾の付け根に沿う屈曲ラインよりも前方側において基節骨に対応する位置に配設される少なくとも３つの爪先側突片が形成されている点にある。
本発明の請求項５による野球用スパイクシューズの特徴構成は、前記爪先座板には、前記第１趾基節骨に対応する位置に配置される突片と、第３趾基節骨に対応する位置に配置される中間突片と、前記第４趾基節骨に対応する位置に配置される突片と、第１趾の先端と第２趾の先端とに亘る部位に対応する位置に配置された突片とが形成され、前記先端側の突片と前記中間突片は、前記基本線に対してほぼ直交する又はそれに近い姿勢に構成されているとともに、前記第１趾基節骨及び第４趾基節骨に対応する両突片は、それらの一方の偏平面が共に基本線側の後方に向く傾斜姿勢に構成されている点にある。
本発明の請求項６による野球用スパイクシューズの特徴構成は、前記爪先座板の突片のうち、第１趾の先端と第２趾の先端とに亘る部位に対応する位置に配置された突片の高さが、他の突片の高さよりも低く構成されている点にある。
本発明の請求項７による野球用スパイクシューズの特徴構成は、前記踵座板の突片のうち、踵骨突起に対応する部位よりも前方側において基本線の内側に配設された突片の先端中心と前記爪先座板における第１趾基節骨に対応する位置に配置してある爪先側突片の先端中心とを繋ぐ仮想内側直線と、前記踵座板の突片のうち、踵骨突起に対応する部位よりも前方側において基本線の外側に配設された突片の先端中心と前記爪先座板における第３趾基節骨に対応する位置に配置してある突片の先端中心とを繋ぐ仮想外側直線とが、ほぼ平行に構成されているとともに、前記中間座板における基本線よりも内側に位置する突片が、前記仮想内側直線上に配置されている点にある。
【００２１】
【発明の実施の形態】
［第１実施形態］
図１〜図４は、皮革や可撓性を備えた合成樹脂から形成された靴底１の踏付面２に、複数の板状の突片３を分散配設してある本発明の野球用スパイクシューズＳの第１実施形態を示し、詳しくは、前記複数の突片３は、この野球用スパイクシューズＳを着用した状態で、踵骨４の左右中央に相当する位置と第２趾基節骨（第２指基節骨）５の左右中央に相当する位置とを結ぶ直線状のラインを基本線Ｐとして、踏付面２の踵側、及び、踏付面２の前半部分のうち、足趾（足指）の付け根に沿う屈曲ラインＱの前方側と屈曲ラインＱの後方側とに分散配設してある。
【００２２】
前記踏付面２のうち、踵側には、踵骨突起４ａに対応する部位よりも前方側で、かつ、基本線Ｐの内側（足裏の内側縁側）と、踵骨突起４ａに対応する部位よりも前方側で、かつ、前記基本線Ｐの外側（足裏の外側縁側）と、踵骨突起４ａに対応する部位よりも後方側で、かつ、基本線Ｐの内側と、踵骨突起４ａに対応する部位よりも後方側で、かつ、基本線Ｐの外側とにそれぞれ突片３を１つずつ配置してあり、これら４つの突片３を、踏付面２の踵側に固定される踵座板６に一体的に折り曲げ形成してある。
【００２３】
前記踏付面２の踵側に配設される４つの突片３のうち、踵骨突起４ａに対応する部位よりも前方側に配設された両突片（以下、前部突片と称する。）３Ａ，３Ｂの各々は、基本線Ｐにほぼ沿う又はそれに近い前後姿勢に構成してある。尚、より詳しくは、当該実施形態の両前部突片３Ａ，３Ｂの各々は、それらの後端縁側ほど僅かに基本線Ｐの外側に偏位する該基本線Ｐに近い前後姿勢に構成してある。
【００２４】
また、前記踏付面２の踵側に配設される４つの突片３のうち、踵骨突起４ａに対応する部位よりも後方側に配設された両突片（以下、後部突片と称する。）３Ｃ，３Ｄは、基本線Ｐに対して交差する姿勢に構成してある。詳しくは、踵骨突起４ａに対応する部位よりも後方側で、かつ、基本線Ｐの内側に配置された後部突片３Ｃと、踵骨突起４ａに対応する部位よりも後方側で、かつ、基本線Ｐの外側に配置された後部突片３Ｄとは、それらの一方の偏平面が共に基本線側前方に向く傾斜姿勢に構成してある。
【００２５】
図５に示すように、前記両後部突片３Ｃ，３Ｄの交差角度Ｒは９０度〜１１０度に角度範囲内で設定してあり、このような交差角度に設定したところ、例えば、ランニング時に踵から着地したときの野球用スパイクシューズＳの前方へのスリップを効果的に抑制することができた。尚、当該実施形態では、両後部突片３Ｃ，３Ｄの交差角度Ｒを約１００度に設定してある。
また、前記両後部突片３Ｃ，３Ｄの後端側基部の離間寸法Ｌは１．５ｃｍ〜２．５ｃｍの寸法範囲内で設定してあり、このような離間寸法Ｌに設定したところ、例えば、ランニング時に踵から着地したときの応力を両後部突片３Ｃ，３Ｄに効果的に分散することができ、足の踵に対する衝撃を軽減することができた。尚、当該実施形態では、両後部突片３Ｃ，３Ｄの後端側基部の離間寸法Ｌを約２．０ｃｍに設定してある。
【００２６】
更に、前記踏付面２の踵側に配設される４つの突片３は、それぞれ突出先端側ほど窄む台形状に形成してある。従って、踵側の両前部突片３Ａ，３Ｂの前端縁３ａ，３ｂは、突出先端ほど後方側に位置する後傾姿勢に構成してあり、図５に示すように、各前部突片３Ａ，３Ｂの前端縁３ａ，３ｂの後傾角度ｒは２５度〜３５度の角度範囲内で設定してある。これにより、各前部突片３Ａ，３Ｂが地面からの抜け出すまでの踵側の地面からの浮き上がり代をかなり小さくできた。尚、当該実施例では、各前部突片３Ａ，３Ｂの前端縁３ａ，３ｂの後傾角度ｒは約３０度に設定してある。
【００２７】
図１〜図４及び図６に示すように、前記踏付面２のうち、足趾の付け根に沿う屈曲ラインＱよりも前方側には、野球用スパイクシューズＳを着用した状態で、第１趾（第１指）７の先端と第２趾（第２指）８の先端とに亘る部位に対応する位置と、この位置よりも屈曲ラインＱ側の基本線Ｐよりも内側と外側、及び、これら内側と外側との左右方向の中間とに、それぞれ突片３を１つずつ配置してあり、これら４つの突片３を、踏付面２のうち、屈曲ラインＱの前方側に固定される爪先座板９に一体的に折り曲げ形成してある。
【００２８】
更に、前記踏付面２のうち、足趾の付け根に沿う屈曲ラインＱよりも前方側に配設される４つの突片（以下、爪先側突片と称する。）３のうちの屈曲ラインＱ側に位置する３つの爪先側突片３は、足趾の基節骨又はその近傍に配置してある。詳しくは、これらの３つの爪先側突片３のうち、基本線Ｐよりも内側に位置する突片３Ｅは、第１趾基節骨（第１指基節骨）１０に対応する位置に配置してあり、基本線Ｐよりも外側に位置する突片３Ｆは、第４趾基節骨（第４指基節骨）１１に対応する位置に配置してあるとともに、更に、これら両突片３Ｅ，３Ｆの左右方向の中間に位置する突片（中間突片）３Ｇは、第３趾基節骨（第３指基節骨）１２に対応する位置に配置してある。
【００２９】
そして、４つの爪先側突片３のうち、第１趾７の先端と第２趾８の先端とに亘る部位に対応する位置に配置された突片３Ｈと前記中間突片３Ｇとは、それぞれ前記基本線Ｐに対してほぼ直交する姿勢に構成してある。
また、前記第１趾基節骨１０に対応する位置に配置してある突片３Ｅと、第４趾基節骨１１に対応する位置に配置してある突片３Ｆとは、それらの一方の偏平面が共に基本線側やや後方に向く傾斜姿勢に構成してある。
【００３０】
前記第１趾基節骨１０に対応する位置に配置してある突片３Ｅと、第３趾基節骨に対応する位置に配置してある中間突片３Ｇと、前記第４趾基節骨１１に対応する位置に配置してある突片３Ｆとは、地面の蹴り出し動作に機能し、強いキック力を発揮させることができる。
【００３１】
また、前記第４趾基節骨１１に対応する位置に配置してある突片３Ｆは、地面の蹴り出し動作に機能するだけでなく、基本線Ｐに対して約４０度の傾斜姿勢に設定してあるが故に、ピッチングやバッティング時に踏み出した足が着地した後、この足が前方・外側に流れることを抑制する機能があり、その結果、ピッチングやバッティング時に踏み出した足の壁の崩れを防止することができる。
【００３２】
更に、第１趾７の先端と第２趾８の先端とに亘る部位に対応する位置に配置された突片３Ｈは、爪先側で地面の蹴り出し動作を行なった後の靴底１先端の落ち込み感とスリップとを抑制する機能があり、守備のすり足動作の際に地面に引っ掛かり難いように、他の３つの爪先側突片３Ｅ、３Ｆ、３Ｇよりも高さを低く形成してある。
【００３３】
図１〜図４及び図７に示すように、前記踏付面２のうち、屈曲ラインＱの後方側には、基本線Ｐの外側で、かつ、足の小趾球（小指球）１３の直後方と、基本線Ｐの内側で、かつ、足の母趾球（母指球）１４の直後方とにそれぞれ突片３を１つずつ配置してあり、これら２つの突片３を、屈曲ラインＱの後方側に固定される中間座板１５に一体的に折り曲げ形成してある。
つまり、前記屈曲ラインＱの後方側に配設される左右一対の突片３のうち、基本線Ｐよりも外側に位置する突片３Ｉを、基本線Ｐよりも内側に位置する突片３Ｊよりも後方に配置してある。
【００３４】
前記屈曲ラインＱの後方側に配設される左右一対の突片３のうち、基本線Ｐよりも外側に位置する突片３Ｉは、それの一方の偏平面が基本線側前方に向く傾斜姿勢に構成してあるとともに、基本線Ｐよりも内側に位置する突片３Ｊは、それの一方の偏平面が基本線側前方に向く傾斜姿勢に構成してある。
【００３５】
前記基本線Ｐよりも内側に位置する突片３Ｊは、特に、ピッチングやバッティング時の踏み出した足とは反対側の足の踏ん張りや、守備時の横方向への動作に伴う足の踏ん張りを高める機能がある。
【００３６】
前記基本線Ｐよりも外側に位置する突片３Ｉは、ピッチングやバッティング時に踏み出した足が着地した後、この足が前方・外側に流れることを抑制する機能があり、その結果、ピッチングやバッティング時に踏み出した足の壁の崩れを防止することができる。尚、これら両突片３Ｉ，３Ｊは、第１趾７の先端と第２趾８の先端とに亘る部位に対応する位置に配置された突片３Ｈを除くその他の突片３よりも高さを低く形成してある。
【００３７】
ところで、前記基本線Ｐの内側に配置された前記前部突片３Ａの先端中心と、第１趾基節骨１０に対応する位置に配置してある爪先側突片３Ｅの先端中心とを繋ぐ仮想内側直線Ｙ１と、前記基本線Ｐの外側に配置された前記前部突片３Ｂの先端中心と、第３趾基節骨１２に対応する位置に配置してある爪先側突片３Ｇの先端中心とを繋ぐ仮想外側直線Ｙ２とは、ほぼ平行となるように構成してあるとともに、前記屈曲ラインＱの後方側に配設される左右一対の突片３のうち、基本線Ｐよりも内側に位置する突片３Ｊは、前記仮想内側直線Ｙ１上に位置しているから、ランニング時の踵から爪先側への体重移動を、これら仮想内側直線Ｙ１と仮想外側直線Ｙ２とに沿って行なわせ易く、踵から前方へ体重移動を効果的に行なわせることによって横ブレを抑制することができる。
【００３８】
このように構成された野球用スパイクシューズＳでは、前記爪先座板９と中間座板１５とが、前記屈曲ラインＱ上に存在しないから、靴底１を屈曲ラインＱに沿って屈曲させることができ、ランニング及びダッシュ時の体重移動を踵側から爪先側に滑らかに行なうことができる。
そして、前記踵座板６、爪先座板９並びに中間座板１５の各々は、それにそれぞれ貫通形成してある締結孔１６に、靴底１の踏付面２から突出する締結具としての釘１７を挿通し、該釘１７のうち、締結孔１６から突出する部分を折り曲げて、この靴底１の踏付面２に固定してある。
尚、これら各座板６，９，１６は、各突片３と共にスチール、アルミニウム合金、チタン等の耐久性の高い金属から形成してある。
【００３９】
［第２実施形態］
図８は、皮革や可撓性を備えた合成樹脂から形成された靴底１の踏付面２に、複数の板状の突片３を分散配設してある本発明の野球用スパイクシューズＳの第２実施形態を示し、野球用スパイクシューズＳを着用した状態で、前記踏付面２の踵側に配設された両前部突片３Ａ，３Ｂのうち、基本線Ｐの内側に配置された前部突片３Ａは、土踏まずのアーチに対応する位置に配置してあるとともに、基本線Ｐの外側に配置された前部突片３Ｂは、第５趾中足骨（第５指中足骨）１８の根元部１８ａに対応する位置に配置してある。
【００４０】
従って、ランニングに伴う踵から爪先側への体重移動で、土踏まず１９のアーチが地面側に下降しようとしても、この下降速度を、基本線Ｐの内側に配置された前部突片３Ａが地面から受ける反力で減速することができるから、例えば、土踏まず１９のアーチの地面側への急激な下降に伴うランニング姿勢の崩れを抑制することができる。
また、踵側の着地時に、足の踵に基本線Ｐよりも外側への傾動力が作用しても、基本線Ｐの外側に配置された前部突片３Ｂの地面から受ける反力で第５趾中足骨１８の根元部１８ａが突き上げられるから、足の踵の傾動を抑制することができる。
【００４１】
前記両前部突片３Ａ，３Ｂの各々は、基本線Ｐにほぼ沿う又はそれに近い前後姿勢に構成してある。尚、より詳しくは、当該実施形態の両前部突片３Ａ，３Ｂの各々は、それらの後端縁側ほど僅かに基本線Ｐの外側に偏位し、かつ、前方延長線上に、第１趾基節骨に対応する位置に配置してある爪先側突片３Ｅと第３趾基節骨に対応する位置に配置してある爪先側突片３Ｇとが位置する状態で、基本線Ｐに近い前後姿勢に構成してある。
【００４２】
前記踏付面２のうち、屈曲ラインＱの後方側には、基本線Ｐの外側で、かつ、足の小趾球１３の後方の第５趾中足骨１８中央に対応する位置と、基本線Ｐの内側で、かつ、足の母趾球１４の直後方とにそれぞれ突片３を１つずつ配置してあり、これら２つの突片３を、屈曲ラインＱの後方側に固定される中間座板１５に一体的に折り曲げ形成してある。
つまり、前記屈曲ラインＱの後方側に配設される左右一対の突片のうち、基本線Ｐよりも外側に位置する突片３Ｉを、基本線Ｐよりも内側に位置する突片３Ｊよりも後方に配置してある。
【００４３】
その他の構成は前記第１実施形態と同一であり、第１実施形態で記載した構成部分と同一構成又は同一機能を有する構成部分には同一番号を付記してそれの説明を省略する。
【００４４】
［その他の実施形態］
（１）前記踏付面２の踵側に配設される突片３のうち、両前部突片３Ａ，３Ｂの各々を、前記基本線Ｐにほぼ沿う前後姿勢に構成してもよい。
（２）前記踏付面２のうち、足趾の付け根に沿う屈曲ラインＱよりも前方側に、爪先側突片３を５つ以上配設し、そのうちの少なくとも３つの爪先側突片３を、足趾の基節骨又はその近傍に配置してもよい。
（３）前記爪先側突片のうちの中間突片３Ｇを、第２趾基節骨５に対応する位置、又は、第２趾基節骨５と第３趾基節骨１２とに亘る位置に配置してもよい。
（４）前記各実施形態では、複数の突起３を踵座板６、爪先座板９並びに中間座板１５に分散形成して、靴底１の踏付面２に分散配設したが、複数の突起３を靴底１の踏付面２に直接分散配設してもよい。
【図面の簡単な説明】
【図１】本発明の野球用スパイクシューズの第１実施形態における足の骨と各突片との関係を示す概略図
【図２】靴底の踏付面を示す野球用スパイクシューズの底面図
【図３】野球用スパイクシューズの側面図
【図４】靴底の踏付面を示す斜視図
【図５】踵座板の斜視図及びそれに配設された各突片の側面図
【図６】爪先座板の斜視図及びそれに配設された各突片の側面図
【図７】中間座板の斜視図及びそれに配設された各突片の側面図
【図８】本発明の野球用スパイクシューズの第２実施形態における足の骨と各突片との関係を示す概略図
【符号の説明】
Ｐ    基本線
Ｑ    屈曲ライン
１    靴底
２    踏付面
３    突片
３Ａ  前部突片
３ａ  前端縁
３Ｂ  前部突片
３ｂ  前端縁
３Ｃ  後部突片
３Ｄ  後部突片
３Ｅ  爪先側突片
３Ｆ  爪先側突片
３Ｇ  爪先側突片
３Ｉ  突片
３Ｊ  突片
４    踵骨
４ａ  踵骨突起
５    第２趾基節骨
１０  第１趾基節骨
１１  第４趾基節骨
１２  第３趾基節骨
【図１】
0004568390.tif 000002
【図２】
0004568390.tif 000003
【図３】
0004568390.tif 000004
【図４】
0004568390.tif 000005
【図５】
0004568390.tif 000006
【図６】
0004568390.tif 000007
【図７】
0004568390.tif 000008
【図８】
0004568390.tif 000009